(57)【特許請求の範囲】
【請求項１】
カウンタバランス型フォークリフトに設けられる収納装置であって、該フォークリフトの車体フレームのシートの横に磁性材からなる平坦な収納装置用設置スペースを形成すると共に該設置スペースに直方体形状の収納筐体を設置し、該筐体の上面には開口部を形成すると共に該開口部を蝶番により開閉可能な蓋体で閉塞し、また該蓋体の上面にオペレータの肘掛用のクッションパッドを接着し、更に上記収納筐体の側面には持ち運び用の持ち手を設け、かつ該収納筐体の底面には上記フレームに着脱自在に吸着するマグネットを取り付けてあることを特徴とするフォークリフトにおける収納装置。
【請求項２】
前記収納筐体が、防水構造を有することを特徴とする請求項１に記載の収納装置。
【発明の詳細な説明】
【０００１】
【発明の属する技術分野】
この発明は、フォークリフトに設けられる収納装置に関する。
【０００２】
【従来の技術】
一般に、車両であるカウンタバランス型フォークリフトには、鉛筆や書類等の作業に必要な小物を置いておくスペースが設けられていない。そのため、作業に必要な書類等を作業の邪魔にならにように保管しておくことが困難であった。
【０００３】
一方、オペレータ用のシート周辺にスペース的な余裕があれば、そのシート横や後部などに、作業に必要な書類等小物を置いておくための凹状の小物スペースを設けることも考えられる。
【０００４】
【発明が解決しようとする課題】
ところが、このような小物スペースは、あくまでもシート周辺にスペース的余裕がある場合に限られ、ほとんどの場合、シート周辺には余裕がないため小物スペースを設けることは不可能であった。
【０００５】
また、従来の小物スペースを設けた場合であっても、鉛筆等の小物を置いておくことはできるものの、フォークリフトのオペレータに着用が義務づけられているヘルメットや雨天時のレインコート等、比較的大きな作業用品を収納しておくことはできないため、オペレータはその都度これら必要な作業用品を持って移動しなければならず非常に面倒であった。更に、この小物スペースは、単なる凹状の窪みが形成されているだけで防水対策が何ら施されていないため、書類等を置いておくには好ましくない。
【０００６】
そこで、ヘルメットやレインコート等の比較的大きな作業用品を収容できてしかも持ち運びが可能な収納装置があれば、オペレータ毎に各自の収納装置を割り当てておくことにより、自分が使用する作業用品を収納した収納装置を持っていってフォークリフトに設置すればよく、非常に便利である。
【０００７】
この発明が解決しようとする課題は、持ち運びが可能で着脱自在に設置できる収納装置を提供できるようにすることにある。
【０００８】
【課題を解決するための手段】
上記した課題を解決するために、本発明は、カウンタバランス型フォークリフトに設けられる収納装置であって、該フォークリフトの車体フレームのシートの横に磁性材からなる平坦な収納装置用設置スペースを形成すると共に該設置スペースに直方体形状の収納筐体を設置し、該筐体の上面には開口部を形成すると共に該開口部を蝶番により開閉可能な蓋体で閉塞し、また該蓋体の上面にオペレータの肘掛用のクッションパッドを接着し、更に上記収納筐体の側面には持ち運び用の持ち手を設け、かつ該収納筐体の底面には上記フレームに着脱自在に吸着するマグネットを取り付けてあることを特徴としている。
【０００９】
このような構成によれば、車体フレームのシート付近の設置スペースに収納筐体を配設し、固定手段によりこの収納筐体を固定することができるため、オペレータは、必要な作業用品を収納したまま収納筐体を持ち運ぶことができると共に、収納筐体を電気車の所定の設置スペースに簡単に固定することができる。
【００１０】
また、本発明は、前記収納筐体が、防水構造を有することを特徴としている。こうすると、雨天下で電気車の運転を行うときでも、作業に使用する書類等を収納筐体内に収納しておけば濡れる心配がない。
【００１１】
【発明の実施の形態】
この発明をカウンタバランス型フォークリフトに適用した場合の一実施形態について図１ないし図４を参照して説明する。但し、図１及び図２はそれぞれ使用状態における左側面図及び背面図、図３は一部のある状態における正面図、図４は一部の異なる状態における右側面図である。
【００１２】
図１及び図２に示すように、車両であるカウンタバランス型フォークリフト１の車体フレーム２に設けられたシート３の横には、ほぼ平坦な収納装置用設置スペース４が形成され、この設置スペース４に収納筐体６が着脱自在に配設されている。この収納筐体６は、車体前後方向に長い辺を有する直方体状を成し、その内部の車体前後方向及び高さ方向の各辺はＡ４サイズ用紙を十分に収納し得る長さになっており、更にその内部の容積は通常のヘルメットが余裕をもって収納可能な大きさとなっている。具体的には、車体前後方向が３０〜４０ｃｍ、車体左右方向が１５〜２０ｃｍ、高さ方向が２２〜３０ｃｍ位の寸法とするのが好ましい。
【００１３】
また、収納筐体６は、図３及び図４に示すように、上面の開口部７が、例えば蝶番８により収納筐体６に取り付けられた蓋体９により開閉自在に閉塞され、収納筐体６の蓋体９の接触面には、図示されていない防水シールが施され、蓋体９の閉塞時には収納筐体６内に外部から水が浸入しないように防水構造が採られている。
【００１４】
そして、収納筐体６の蓋体９の取り付けについて、オペレータが収納筐体６内部から作業用品を出し入れし易いように、開口部８がオペレータ側または車体前方向を向くよう蝶番８の取り付け位置を設定するのが望ましい。このとき、収納筐体６を設置したときに、開口部７をオペレータ側または車体前方向に確実に配置できるように、収納筐体６とその設置スペース４との両方の近接した位置に、図３に示すマークＭを設け、両マークＭを目印として収納筐体６を設置するのが効果的である。
【００１５】
更に、収納筐体６の底面の四隅には固定手段としてのマグネット１０が取り付けられ、通常フレーム２が磁性材である鉄により構成されることから、マグネット１０の磁力により収納筐体６が設置スペース４のフレーム２に着脱自在に固定されるようになっている。
【００１６】
従って、上記した実施形態によれば、フレーム２のシート３横の設置スペース４に収納筐体６を配設し、マグネット１０により収納筐体６を着脱自在に固定することができるため、オペレータは、必要な作業用品を収納したまま収納筐体６を持ち運ぶことができると共に、収納筐体６を電気車の所定の設置スペース４に簡単に固定することができる。
【００１７】
また、収納筐体６が防水構造を有するため、雨天下でフォークリフトの運転を行うときでも、作業に使用する書類等を収納筐体６内に収納しておけば濡れるおそれがなく安心である。
【００１８】
なお、この発明の他の実施形態として、図５に示すように、設置スペース４のフレーム２に、収納筐体６の底部が数ｃｍにわたって嵌挿べく固定手段としての適当な深さの凹部１２を形成し、この凹部１２に収納筐体６の底部を嵌挿することで収納筐体６を設置スペース４に転倒することなく固定するようにしてもよい。このとき、収納筐体６の底面には、上記したマグネット１０が設けられていても構わない。
【００１９】
また、防水構造として、図５に示すように、開口部７を外側から覆うべく収納筐体６の蓋体９の蝶番８と反対側面９ａを延ばした形状にし、収納筐体６及び蓋体９の蝶番８による接合箇所にはビニールシート１３を貼着してそこからの浸水を防止するようにしてもよく、こうすれば、上記したように収納筐体６の蓋体９の接触面全面に防水シールを施す必要がなくなる。尚、防水構造はこれらに限定されるものでないのは勿論である。
【００２０】
更に、図５に示すように、蓋体９の上面にクッションパッド１４を接着することにより、収納筐体６をオペレータの肘掛けとして利用することが可能となる。このクッションパッド１４は、図３に示す構成の収納筐体６にも同様に設けても構わない。
【００２１】
また、図６及び図７に示すように、収納筐体６の両側面に、持ち運びを容易にするための紐等から成る持ち手１５を設けてもよい。このような持ち手１５は、図５に示す構成の収納筐体６に設けることもできる。
【００２２】
また、本発明は上記した実施形態に限定されるものではなく、その趣旨を逸脱しない限りにおいて上述したもの以外に種々の変更を行うことが可能である。
【００２３】
【発明の効果】
以上のように、請求項１に記載の発明によれば、車体フレームのシート横の設置スペースに収納筐体を配設し、固定手段によりこの収納筐体を固定することができるため、オペレータは、必要な作業用品を収納したまま収納筐体を持ち運ぶことができると共に、収納筐体を電気車の所定の設置スペースに簡単に固定することができ、屋内外で運転される電気車に好適である。
【００２４】
また、請求項１に記載の発明によれば、マグネットの磁力を利用して簡単に収納筐体を固定することができると共に、収納筐体の取り外しも容易に行うことができる。
【００３４】
また、請求項１に記載の発明によれば、クッションパッドを設けることで、収納筐体を例えば肘掛けとして利用することが可能になる。
【００３５】
また、請求項１に記載の発明によれば、フォークリフトのオペレータに着用が義務づけられているヘルメットや、屋外運転時に使用するレインコート等の作業用品を収納筐体に収納可能にしておくことにより、オペレータは作業時に収納筐体を持ってフォークリフトに乗り込めばよく非常に便利である。
【００２４】
また、請求項２に記載の発明によれば、雨天下で電気車の運転を行うときでも、作業に使用する書類等を収納筐体内に収納しておけば濡れる心配がない。
【図面の簡単な説明】
【図１】この発明の一実施形態の使用状態における左側面図である。
【図２】この発明の一実施形態の使用状態における背面図である。
【図３】この発明の一実施形態の一部のある状態における正面図である。
【図４】この発明の一実施形態の一部の異なる状態における右側面図である。
【図５】この発明の他の実施形態の一部の切断正面図である。
【図６】この発明の更に他の実施形態のある状態における右側面図である。
【図７】この発明の更に他の実施形態の異なる状態における背面図である。
【符号の説明】
１    カウンタバランス型フォークリフト
２    車体フレーム
３    シート
４    設置スペース
６    収納筐体
７    開口部
９    蓋体
１０  マグネット（固定手段）
１２  凹部（固定手段）
１４  クッションパッド
【図１】
0003638817.tif 000002
【図２】
0003638817.tif 000003
【図３】
0003638817.tif 000004
【図４】
0003638817.tif 000005
【図５】
0003638817.tif 000006
【図６】
0003638817.tif 000007
【図７】
0003638817.tif 000008